(57)【要約】      （修正有）  【課題】工具本体の全長が比較的長い場合であっても、ボルトの脱着作業中に工具本体が上下左右方向に揺動することなく安定してボルトの脱着作業を行なうことが出来、その結果、ボルトの頭部またはボルト頭部に形成された係合凹部を潰してしまう恐れのないボルト脱着具を提供すること。  【解決手段】  工具本体１の先端に、脱着されるボルトＡの頭部Ａ’またはボルト頭部に形成された係合凹部Ａ”に係合する係合部１１を形成し、その工具本体に、ボルトが設置されているボルト装着穴Ｂの内周面と適合する大きさに形成された支承リング２を軸方向に移動可能に具備せしめ、更に必要に応じて、ボルト装着穴Ｂより突出している部分の工具本体を水平状に支承する高さ調節可能に形成された外部サポート４を具備せしめた。  【選択図】図２
0003108870.tif 000002
【実用新案登録請求の範囲】
【請求項１】
工具本体の先端に、脱着されるボルトの頭部またはボルト頭部に形成された係合凹部に係合する係合部を形成し、該工具本体に、前記ボルトが設置されているボルト装着穴の内周面と適合する大きさに形成された支承リングを軸方向に移動可能に具備せしめしてなることを特徴とするボルト脱着具。
【請求項２】
前記係合部が前記ボルトの頭部またはボルト頭部に形成された係合凹部に係合している状態において前記ボルト装着穴より突出している部分の工具本体を水平状に支承する外部サポートを具備してなることを特徴とする請求項１記載のボルト脱着具。
【請求項３】
前記工具本体を水平状に支承する外部サポートが高さ調節可能に形成されている請求項２記載のボルト脱着具。
【考案の詳細な説明】
【技術分野】
【０００１】
本考案は、機械や器具等に取付け用または締め付け用に装着されるボルトを締め付けたり緩めたりするのに使用されるボルト脱着具に関するものである。
【背景技術】
【０００２】
従来から提供されているこの種の工具として、工具本体の先端に、脱着されるボルトの頭部またはボルト頭部に形成された係合凹部に係合する係合部を形成せしめたレンチやドライバー等が知られている。
しかし、これら従来から提供されている工具を使用してボルトを締め付けたり緩めたりする作業を行なうと、作業中に工具本体が上下左右方向に揺動して工具本体の先端に形成された係合部がボルト頭部またはボルト頭部に形成された係合凹部から外れたり一部しか係合していない状態になりやすく、その結果、ボルトの頭部またはボルト頭部に形成された係合凹部を潰してしまうことがあった。
この様な不具合は、ボルトがサビやゴミ等で凝り固まっていたり、ダイカストマシンの引抜き中子用ブラケットを固定するためのボルトの脱着を行なう工具のように、ボルトの頭部から少し離れた場所からでなければボルトの脱着を行なえないために工具本体の全長が比較的長く形成されている場合に生じやすい。
尚、本願出願人が知っている上記の先行技術は、文献公知考案に係るものではないため、本願明細書には先行技術文献情報を開示しない。
【考案の開示】
【考案が解決しようとする課題】
【０００３】
本考案はこのような従来の不具合に鑑みてなされたものであり、工具本体の全長が比較的長い場合であっても、ボルトの脱着作業中に工具本体が上下左右方向に揺動することなく安定してボルトの脱着作業を行なうことが出来、その結果、ボルトの頭部またはボルト頭部に形成された係合凹部を潰してしまう恐れのないボルト脱着具を提供せんとするものである。
【課題を解決するための手段】
【０００４】
上記の目的を達成する本考案の請求項１に記載のボルト脱着具は、工具本体の先端に、脱着されるボルトの頭部またはボルト頭部に形成された係合凹部に係合する係合部を形成し、該工具本体に、前記ボルトが設置されているボルト装着穴の内周面と適合する大きさに形成された支承リングを軸方向に移動可能に具備せしめてなることを特徴としたものである。
また、本考案の請求項２に記載のボルト脱着具は、比較的深いボルト装着穴の内部に設置されるボルトの脱着に使用される工具本体のようにその全長が比較的長く形成されている場合に好適に使用され、工具本体の先端に形成された前記係合部がボルトの頭部またはボルト頭部に形成された係合凹部に係合している状態において前記ボルト装着穴より突出している部分の工具本体を水平状に支承する外部サポートを具備せしめてなることを特徴としたものである。
この際、工具本体を水平状に支承する前記外部サポートが高さ調節可能に形成されていることが望ましい（請求項３）。
【考案の効果】
【０００５】
本考案に係るボルト脱着具によれば、工具本体に、脱着されるボルトが設置されているボルト装着穴の内周面と適合する大きさに形成された支承リングを軸方向に移動可能に具備せしめてなるので、ボルトの脱着作業中において工具本体は支承リングでもって装着穴と同軸芯状に支承されることになる。
従って、ボルトを締め付けたり緩めたりする作業中に工具本体が上下左右方向に揺動することがほとんどなくなり、よって工具本体の先端に形成した係合部がボルトの頭部またはボルト頭部に形成された係合凹部から不用意に外れることがなくなる。その結果、工具本体の先端に形成した係合部でもってボルトの頭部またはボルト頭部に形成された係合凹部を潰してしまう恐れがなくなる。
しかも、前記支承リングは工具本体に対して軸方向に移動可能に装着されるので、深さの異なるボルト装着穴に容易に対応することが可能となる。
【０００６】
また、特に請求項２に記載のボルト脱着具によれば、工具本体の先端に形成された係合部がボルトの頭部またはボルト頭部に形成された係合凹部に係合している状態において前記ボルト装着穴より突出している部分の工具本体を水平状に支承する外部サポートを具備せしめてなるので、比較的深いボルト装着穴の内部に設置されるボルトの脱着に使用される工具本体のようにその全長が比較的長く形成されている場合であっても、当該工具本体に装着された前記支承リングと協働して工具本体をボルトの脱着作業中においてボルト装着穴と同軸芯状であって水平状に安定して保持することが可能となる。
従って、工具本体の全長が比較的長い場合であっても、工具本体の先端に形成した係合部がボルトの頭部またはボルト頭部に形成された係合凹部から不用意に外れたり、工具本体の係合部でもってボルトの頭部またはボルト頭部に形成された係合凹部を潰してしまう恐れがなくなる。
【０００７】
更に、請求項３に記載のボルト脱着具によれば、工具本体を水平状に支承する外部サポートが高さ調節可能に形成されているので、高さの異なる場所に装着されているボルトに対して容易に対応することが可能となる。
【考案を実施するための最良の形態】
【０００８】
以下、本考案の具体的な好適実施例を図面を参照しながら詳細に説明するが、本考案は図示した実施例に限定されるものではない。
【０００９】
工具本体１は、従来周知のレンチやドライバー等と同様に、先端に、脱着されるボルトＡの頭部Ａ’に係合する係合部１１を形成せしめ、他端側に、レンチの場合には他端側を略直角に折り曲げた操作部１２を形成したりＴ字形の操作ハンドル１３を一体に取り付け、ドライバーの場合には木製または合成樹脂製の握り部が一体に取り付けられる。
【００１０】
工具本体１の係合部１１は、ボックスレンチの場合には脱着されるボルトＡの頭部Ａ’の外周に適合して嵌合するボックス状に形成され、レンチの場合にはボルト頭部Ａ’の頂部に平面視略六角形状または四角形状に形成された係合凹部Ａ”に適合して係合する略短角柱形状に形成され、そしてドライバーの場合には、ボルト頭部Ａ’の頂部に一文字形状または十文字形状に形成された係合凹部に係合する略楔形状または略十字錘形状に形成される。
ちなみに、図示例の工具本体１の係合部１１は略短六角柱形状に形成され、レンチとして使用される。
【００１１】
そして、工具本体１には、脱着されるボルトＡが設置されているボルト装着穴Ｂの内周面と適合する大きさに形成された支承リング２を軸方向に移動可能に具備せしめる。
すなわち、支承リング２は、ボルト装着穴Ｂの内径と適合する大きさ（外径）を有する適当な長さの筒形状に形成し、工具本体１に軸方向に移動可能に取り付け、ボルト装着穴Ｂの深さに応じて適当な位置に位置決めした後、必要に応じてイモネジ等の固定手段３で移動ないし脱落しないように固定する。
なお、この支承リング２は、工具本体１に対してボルト装着穴Ｂの深さに応じて適当な位置に固定される構造になっていれば、工具本体１に対して回動自在に取り付けられていても良いし、工具本体１に対してはイモネジ等の固定手段３等で固定しボルト装着穴Ｂの内周面に対して回動自在に取り付けても良い。
【００１２】
また、比較的深いボルト装着穴Ｂの内部に設置されるボルトの脱着に使用される工具のように工具本体の全長が比較的長く形成されている場合には、工具本体１の先端に形成された係合部１１がボルトＡの頭部Ａ’またはボルト頭部Ａ’に形成された係合凹部Ａ”に係合している状態において、ボルト装着穴Ｂより突出している部分の工具本体（１a）を水平状に支承する外部サポート４を具備せしめる。
【００１３】
この際、高さの異なる場所に装着されているボルトに対して容易に対応することができるように、外部サポート４を高さ調節可能に形成することが望ましい。
外部サポート４を高さ調節可能に形成する構成はいろいろと考えられるが、図示実施例のものは、外部サポート４を昇降自在なジャッキ５の天板５１上に設置し、ジャッキ５の天板５１を操作杆５２でもって昇降操作することにより、外部サポート４の高さを調節自在としたものである。
【図面の簡単な説明】
【００１４】
【図１】（ａ）は本考案に係るボルト脱着具の実施の一例を示す斜視図。            （ｂ）は本考案に係るボルト脱着具の他の実施例を示す斜視図。
【図２】ボルトの脱着を説明する断面斜視図。
【符号の説明】
【００１５】
Ａ：ボルト                Ａ’：ボルトの頭部Ａ’
Ａ”：係合凹部                Ｂ：ボルト装着穴
１：工具本体              １１：係合部
１２：操作部                １３：操作ハンドル
２：支承リング            ３：固定手段
４：外部サポート          ５：ジャッキ
【図１】
0003108870.tif 000003
【図２】
0003108870.tif 000004